(57)【要約】【課題】被装着物の形状或いはサイズが雑多に相違しても被装着物の形状に応じ、極めて簡単に装着可能であり、しかも装着後の外観が美しいカバーを得る。【解決手段】楕円形もしくは円形状に切断された伸縮性の極めて大きい編織地の全周縁を折り返して袋状に形成し、袋状周縁内に伸縮性紐を挿通してなるカバーであって、裏面中央を被覆物の挿入口とし、袋状周縁の半周した対向する部分に、相互に契合可能な止め具をそれぞれ設けた。【選択図】図２
0003155577.tif 000002
【実用新案登録請求の範囲】
【請求項１】
伸縮性のきわめて大きい円形状平面の編織地よりなり、円形状編織地周縁に形成された袋状部に挿通された伸縮性紐状体により、被覆物挿入孔を有する袋状に形成されてなる寝具カバー。
【請求項２】
前記被覆物挿入孔の袋状部周縁の対向する半周部分に、相互に契合可能な止め具をそれぞれ設けてなる請求項１に記載の寝具カバー。 
【考案の詳細な説明】
【技術分野】
【０００１】
本考案は、ベッドマット、敷布団、枕、クッション等の寝具類において、サイズ形状等にとらわれず着脱が簡単で、縫い目の無い外観の美麗なシーツ、カバーを提供する。
【背景技術】
【０００２】
ベッドパッドを２個並べて、例えば子供を加えて３人でベッドを使用するような場合、それぞれのマットを覆うカバーを用いると、中央部に溝が生じ、寝心地が損なわれる。それ以外にも、ベッドパッドは、サイズが一定ではなく、カバーをかける場合、大きさがあわずに就寝中に移動し皺が生じ、寝心地が損なわれることがあり、かつ、それぞれのサイズに応じた大きさのカバーを用意しなければならなかった。そこで、並べられた二つのマットレスをその状態に隙間が生じないように一体的に包みこめるシーツが提案されている（特許文献１）。また、装着時に枕の平面寸法よりも小さい開口部を設け、開口部にゴムバンドを通して縫製した枕カバーも提案されている（特許文献２）。しかしながら、上記マットレス用のカバーは、使用できるベッドパッドの大きさ及び厚みが一定のものにしか使用できず、そのカバーの装着も面倒な作業を必要とする。また、前記枕カバーにおいても、枕の大きさ、形状に合わせたカバーでなければならず、どのような枕にも使用できるものではない。
【先行技術文献】
【特許文献】
【０００３】
【特許文献１】特開２００２−１７７０９４号公報
【特許文献２】実用新案登録第３０６５４４９号公報
【考案の概要】
【考案が解決しようとする課題】
【０００４】
本考案は、上記の点に鑑みて、装着が容易であり、装着するベッドマットレス、枕、クッション等のサイズが幾分相違していても、装着が可能であり、しかも、装着に際して手間がかからず、きわめて容易に装着できるのみでなく、カバーされた物品の表面外観が、きわめて平坦で美しい状態となるカバーを得ることを目的とする。
【課題を解決するための手段】
【０００５】
請求項１に記載の本考案の寝具カバーは、伸縮性のきわめて大きい円形状平面の編織地よりなり、円形状編織地周縁に形成された袋状部に挿通された伸縮性紐状体により、被覆物挿入孔を有する袋状に形成されたカバーとした。請求項２に記載の本考案寝具カバーは、前記被覆物挿入孔の袋状部周縁の対向する半周部分に、相互に契合可能な止め具をそれぞれ設けた。
【考案の効果】
【０００６】
本考案のカバーは、伸縮性の極めて大きい編織地で形成しているので、被覆物の大小或いは形状の変化に係わらず、被覆物表面とのなじみが良く、被覆物の形状に沿って被覆物を良好にカバーすることが出来る。また、例えばベッドマットレスのような大きい素材を覆う場合も、装着が容易であり、長方形マットレス角部の表面においても、カバー地が皺を生じることなくマットレス本体に密着して被覆する。また、カバーの袋状周縁の対向する半周部分に相互に掛け止め可能な止め具を設けているので、カバーの装着時、対向する止め具が互いに引き合いカバーの位置を良好に保持し、使用中にカバーがずれるようなことはない。また、上記対抗する止め具の位置を確認することで布団等とカバーとの互いの位置とを正確に読み取ることが出来、カバーを正確に取り付けることが可能となり、位置を確認しておけば、取り外し時にも、容易に取り外しが出来る。
【図面の簡単な説明】
【０００７】
【図１】本考案によるカバーの平面図である。
【図２】図１に示したカバーの裏面図である。
【図３】図１及び図２に示したカバーを長方形のマットレスに装着した際の裏面の状態を示す図である。
【考案を実施するための形態】
【０００８】
本考案の実施の形態の一例を図面を参照しながら詳細に説明する。図１に示す如く、本考案のカバーに用いる素材は、平面形状は、円形にとどまらず、楕円形、角部が円弧状をなした太鼓形等一枚の布地で無駄な生地を生ずることなく寝具等をカバーすることが可能な形状であればどのような形状でも良い。本考案においては、カバー地１に、伸縮性が極めて大きい素材を使用することが重要である。カバー地としては、伸縮性糸によるトリコット地のような経編地、シングルジャージーのような緯編地のような伸縮性を有する編織地を用いることが好ましい。
【０００９】
カバー地１は、周縁を折り返して端縁部を縫合又は接着することによりカバー地１の周縁に袋状部２を形成し、袋状部２内には、伸縮性紐状体３を挿入し、伸縮性紐状体３の収縮により、図２に示すようにカバー裏面に被覆物挿入孔４を形成して伸縮性紐状体３は、両端を結合した状態としても、或は適宜長さを調節して端部を接合するようにしてもよい。被覆物挿入孔４の外周縁５には、被覆物挿入孔４を半周した対向する箇所に、相互に契合離脱可能な止め具６，６をそれぞれ設ける。止め具６，６は、被覆物をカバーで覆った際に被覆物に対しカバーを固定し、カバーが移動し、または脱落するのを防止するためにもちいている。そして、被覆物がマットレスのように大型のものである場合は、カバーの被覆時に、止め具６の位置を視認することによって、被覆物に対するカバーの位置を認識し、正確にカバーを取り付けることが可能となる。尚、止め具６，６とは別に、カバー装着位置を知るために、カバー中心線上に位置する被覆物挿入口４の端縁部に中心位とマークを取り付けても良い。
【００１０】
止め具６は、特に限定されるものではなく、従来知られている掛け止め具、ホックの中から任意に選択使用する。好ましくは、止め具６は掛け止めた状態において表面が平坦であることが好ましい。また、クッションや枕等のカバーの場合には、金属製等の硬い材質のものではなく、合成樹脂性の柔らかい止め具であることが好ましい。
【産業上の利用可能性】
【００１１】
本考案の寝具用カバーは、一枚の布帛の外周縁に緊締体を配し、該部を被覆物の挿入口として布帛を袋状に構成しているので、寝具のシーツ、枕カバー等のみではなく、あらゆる物品のカバー材として、単に対象物品にかぶせるだけでその物品の形状に沿ってカバーすることができる。きわめて簡単な構造で装着、取り外しが簡単であるので洗濯が容易であり、常に寝具を清潔に保つことが可能で衛生上好ましいものである。そして、装着時に寝具類表面に皺のよることが無いので触感、美観に勝れ、病院、家庭等広く使用可能である。
【符号の説明】
【００１２】
１  カバー地
２  袋状部
３  伸縮性紐状体
４  被覆物挿入孔
５  外周縁
６  止め具 
【図１】
0003155577.tif 000003
【図２】
0003155577.tif 000004
【図３】
0003155577.tif 000005
【手続補正書】
【提出日】平成21年9月14日(2009.9.14)
【手続補正１】
【補正対象書類名】明細書
【補正対象項目名】０００２
【補正方法】変更
【補正の内容】
【０００２】
ベッドマットレスを２個並べて、例えば子供を加えて３人でベッドを使用するような場合、それぞれのマットを覆うカバーを用いると、中央部に溝が生じ、寝心地が損なわれる。それ以外にも、ベッドマットレスは、サイズが一定ではなく、カバーをかける場合、大きさがあわずに就寝中に移動し皺が生じ、寝心地が損なわれることがあり、かつ、それぞれのサイズに応じた大きさのカバーを用意しなければならなかった。そこで、並べられた二つのマットレスをその状態に隙間が生じないように一体的に包みこめるシーツが提案されている（特許文献１）。また、装着時に枕の平面寸法よりも小さい開口部を設け、開口部にゴムバンドを通して縫製した枕カバーも提案されている（特許文献２）。しかしながら、上記マットレス用のカバーは、使用できるベッドパッドの大きさ及び厚みが一定のものにしか使用できず、そのカバーの装着も面倒な作業を必要とする。また、前記枕カバーにおいても、枕の大きさ、形状に合わせたカバーでなければならず、どのような枕にも使用できるものではない。